(57)【特許請求の範囲】
【請求項１】
ワイヤレス通信の方法であって、
第１の無線アクセス技術（ＲＡＴ）によるＵＥリソースの第１の使用を、ユーザ機器（ＵＥ）によって監視することと、
第２のＲＡＴによる前記ＵＥリソースの第２の使用を、前記ＵＥによって監視することと、ここにおいて、前記ＵＥは前記第２のＲＡＴにおいて現在サービングしているセルによってサービスされる、
あらかじめ定義された時間期間にわたる、前記第１のＲＡＴによる前記ＵＥリソースの前記第１の使用と前記第２のＲＡＴによる前記ＵＥリソースの前記第２の使用との間の競合（conflict）の割合を、前記ＵＥによって決定することと、ここにおいて、前記第１のＲＡＴによる前記ＵＥリソースの前記第１の使用と前記第２のＲＡＴによる前記ＵＥリソースの前記第２の使用との間の競合は、前記第１のＲＡＴによる前記ＵＥリソースの前記第１の使用がスケジュールされる時間期間と、前記第２のＲＡＴによる前記ＵＥリソースの前記第２の使用がスケジュールされる時間期間との間の重複に対応する、および
競合の前記決定された割合が所定のしきい値を超えることに基づいて前記第２のＲＡＴの複数の近隣のセルのうちの１つまたは複数の近隣のセルへのセル再選択試み（cell reselection attempt）を、前記ＵＥによって開始することと
を備える、方法。
【請求項２】
前記セル再選択試みが発生した前記複数の近隣のセルの各々についてメモリに競合の前記割合を記憶すること、ここにおいて、前記競合は、前記第１のＲＡＴによる前記ＵＥリソースの前記第１の使用と、前記セル再選択試みが成功した近隣のセルにおける前記第２のＲＡＴによる前記ＵＥリソースの前記第２の使用との間の競合である、と、
をさらに備える、請求項１に記載の方法。
【請求項３】
前記現在サービングしているセルから前記１つまたは複数の近隣のセルへの前記セル再選択試みを前記ＵＥが開始する回数を示すセル再選択試みのカウント（cell reselection attempt count）を維持すること、
前記第１の使用を前記監視することと、前記第２の使用を前記監視することと、競合の前記割合を前記決定することと、新しくサービングしているセルとして前記１つまたは複数の近隣のセルとの前記セル再選択試みを前記開始することと、および前記新しくサービングしているセル（new serving cell）の競合の前記割合を前記記憶することとを実施すること、ここにおいて、前記セル再選択試みを前記開始することは、
前記セル再選択試みのカウントが試みのしきい値を超えることに応答して、前記メモリに記憶された競合の最も低い割合を有する近隣のセルへの前記セル再選択試みを開始することを含む、
をさらに備える、請求項２に記載の方法。
【請求項４】
前記セル再選択試みのカウントが前記試みのしきい値を超えた後に非アクティブのタイマーを開始することをさらに含み、ここにおいて、競合の前記決定された割合に基づいて別のセル再選択試みは前記非アクティブのタイマーの満了前に開始されない、請求項３に記載の方法。
【請求項５】
前記決定することは、
前記あらかじめ定義された時間期間にわたる複数の競合割合を測定することと、前記複数の競合割合中の各競合割合が、前記第１のＲＡＴによる前記ＵＥリソースの前記第１の使用が前記第２のＲＡＴによる前記ＵＥリソースの前記第２の使用と競合する時間の割合を示す、および
前記あらかじめ定義された時間期間にわたる、前記測定された複数の競合割合の平均を計算することと
を備える、請求項１に記載の方法。
【請求項６】
前記第１のＲＡＴによる前記ＵＥリソースの前記第１の使用と前記第２のＲＡＴによる前記ＵＥリソースの前記第２の使用との間の前記競合が、前記第１のＲＡＴから前記第２のＲＡＴへのチューンアウェイ（tuneaway）期間中に発生する、請求項１に記載の方法。
【請求項７】
前記セル再選択試みを前記開始することは、前記１つまたは複数の近隣のセルの受信電力が受信電力しきい値を超えることにさらに基づく、請求項１に記載の方法。
【請求項８】
ワイヤレス通信のために構成された装置であって、
第１の無線アクセス技術（ＲＡＴ）によるＵＥリソースの第１の使用を、ユーザ機器（ＵＥ）によって監視するための手段と、
第２のＲＡＴによる前記ＵＥリソースの第２の使用を、前記ＵＥによって監視するための手段と、ここにおいて、前記ＵＥは前記第２のＲＡＴにおいて現在サービングしているセルによってサービスされる、
あらかじめ定義された時間期間にわたる、前記第１のＲＡＴによる前記ＵＥリソースの前記第１の使用と前記第２のＲＡＴによる前記ＵＥリソースの前記第２の使用との間の競合の割合を、前記ＵＥによって決定するための手段と、ここにおいて、前記第１のＲＡＴによる前記ＵＥリソースの前記第１の使用と前記第２のＲＡＴによる前記ＵＥリソースの前記第２の使用との間の競合は、前記第１のＲＡＴによる前記ＵＥリソースの前記第１の使用がスケジュールされる時間期間と、前記第２のＲＡＴによる前記ＵＥリソースの前記第２の使用がスケジュールされる時間期間との間の重複に対応する、および
競合の前記決定された割合が所定のしきい値を超えることに基づいて前記第２のＲＡＴの複数の近隣のセルのうちの１つまたは複数の近隣のセルへのセル再選択試みを、前記ＵＥによって開始するための手段と
を備える、装置。
【請求項９】
前記セル再選択試みが発生した前記複数の近隣のセルの各々についてメモリに競合の前記割合を記憶するための手段、ここにおいて、前記競合は、前記第１のＲＡＴによる前記ＵＥリソースの前記第１の使用と、前記セル再選択試みが成功した近隣のセルにおける前記第２のＲＡＴによる前記ＵＥリソースの前記第２の使用との間の競合である、と、
をさらに備える、請求項８に記載の装置。
【請求項１０】
前記現在サービングしているセルから前記１つまたは複数の近隣のセルへの前記セル再選択試みを前記ＵＥが開始する回数を示すセル再選択試みのカウントを維持するための手段、
前記第１の使用を監視するための前記手段と、前記第２の使用を監視するための前記手段と、競合の前記割合を決定するための前記手段と、新しくサービングしているセルとして前記１つまたは複数の近隣のセルとの前記セル再選択試みを開始するための前記手段と、および前記新しくサービングしているセルの競合の前記割合を記憶するための前記手段とを実施するための手段、ここにおいて、前記セル再選択試みを開始するための前記手段は、
前記セル再選択試みのカウントが試みのしきい値を超えることに応答して、前記メモリに記憶された競合の最も低い割合を有する近隣のセルへの前記セル再選択試みを開始するための手段を含む、
をさらに備える、請求項９に記載の装置。
【請求項１１】
前記セル再選択試みのカウントが前記試みのしきい値を超えた後に非アクティブのタイマーを開始するための手段をさらに含み、ここにおいて、競合の前記決定された割合に基づいて別のセル再選択試みは前記非アクティブのタイマーの満了前に開始されない、請求項１０に記載の装置。
【請求項１２】
決定するための前記手段は、
前記あらかじめ定義された時間期間にわたる複数の競合割合を測定するための手段と、前記複数の競合割合中の各競合割合が、前記第１のＲＡＴによる前記ＵＥリソースの前記第１の使用が前記第２のＲＡＴによる前記ＵＥリソースの前記第２の使用と競合する時間の割合を示す、および
前記あらかじめ定義された時間期間にわたる、前記測定された複数の競合割合の平均を計算するための手段と
を備える、請求項８に記載の装置。
【請求項１３】
前記第１のＲＡＴによる前記ＵＥリソースの前記第１の使用と前記第２のＲＡＴによる前記ＵＥリソースの前記第２の使用との間の前記競合が、前記第１のＲＡＴから前記第２のＲＡＴへのチューンアウェイ期間中に発生する、請求項８に記載の装置。
【請求項１４】
前記セル再選択試みを開始するための前記手段は、前記１つまたは複数の近隣のセルの受信電力が受信電力しきい値を超えることにさらに基づく、請求項８に記載の装置。
【請求項１５】
プログラムコードを記録したコンピュータ可読記憶媒体であって、前記プログラムコードは、コンピュータに、前記コンピュータによって実行されると、請求項１乃至７のいずれかに記載の方法を行わせるための命令を備える、コンピュータ可読記憶媒体。
【発明の詳細な説明】
【関連出願の相互参照】
【０００１】
[0001]本出願は、その全体が参照により本明細書に明確に組み込まれる、２０１５年６月９日に出願された「METHOD AND APPARATUS FOR MINIMIZING/AVOIDING CONFLICTS BETWEEN DIFFERENT RADIO ACCESS TECHNOLOGIES SERVING USER EQUIPMENT」と題する米国仮特許出願第１４／７３４，２５７号の利益を主張する。
【背景技術】
【０００２】
分野
[0002]本開示の態様は、一般にワイヤレス通信システムに関し、より詳細には、ユーザ機器（ＵＥ）をサービスする異なる無線アクセス技術（ＲＡＴs：radio access technologies）間の競合（coflict）を最小限に抑えることおよび／または回避することに関する。
【０００３】
背景技術
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。通常、多元接続ネットワーク（multiple-access networks）である、そのようなネットワークは、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）モバイルフォン技術である、ユニバーサルモバイルテレコミュニケーションズシステム（ＵＭＴＳ：Universal Mobile Telecommunications System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、ならびに／またはＵＥからアップリンク上でデータおよび制御情報を受信し得る。ダウンリンク上では、基地局からの送信は、近隣（neighbor）の基地局からの送信、または他のワイヤレス無線周波数（ＲＦ）送信機からの送信による干渉に遭遇することがある。アップリンク上では、ＵＥからの送信は、近隣の基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンス（user experience）を進化および向上させるためにもＵＭＴＳ技術を進化させる研究および開発が続けられている。
【０００７】
[0007]さらに、ワイヤレス通信のための２つ以上のネットワークまたは無線アクセス技術（ＲＡＴ）の使用がより普及しつつあり、複数のＲＡＴにアクセスする能力をもつデバイスが広く利用可能である。複数のＲＡＴにアクセスするデバイスの能力は、リソースを求めるコンテンション（contention）をもたらし、それは、異なるＲＡＴ間の競合を生じる。異なるＲＡＴ間の競合を最小限に抑えるかまたは回避するための複数ＲＡＴアクセスの効率的な管理が、依然として、モバイル通信でのユーザエクスペリエンスおよび効率的なネットワーク動作を向上させるための重要な側面である。
【発明の概要】
【０００８】
[0008]本開示の一態様では、ワイヤレス通信の方法は、第１のＲＡＴによるＵＥリソースの第１の使用を、ＵＥによって監視することと、第２のＲＡＴによる前記ＵＥリソースの第２の使用を、前記ＵＥによって監視することと、ここにおいて前記ＵＥが前記第２のＲＡＴにおいて現在サービングしているセルによってサービスされる、あらかじめ定義された時間期間にわたる前記第１のＲＡＴによる前記ＵＥリソースの前記第１の使用と前記第２のＲＡＴによる前記ＵＥリソースの前記第２の使用との間の競合の割合を、前記ＵＥによって決定することと、および競合の決定された割合が所定のしきい値を超えることに基づいて前記第２のＲＡＴをサービスする複数の近隣のセルのうちの１つまたは複数の近隣のセルへのセル再選択試み（cell reselection attempt）を、前記ＵＥによって開始することとを含む。
【０００９】
[0009]本開示の追加の態様では、ワイヤレス通信のために構成された装置は、第１のＲＡＴによるＵＥリソースの第１の使用を、ＵＥによって監視するための手段と、第２のＲＡＴによる前記ＵＥリソースの第２の使用を、前記ＵＥによって監視するための手段と、ここにおいて、前記ＵＥが前記第２のＲＡＴにおいて現在サービングしているセルによってサービスされる、あらかじめ定義された時間期間にわたる、前記第１のＲＡＴによる前記ＵＥリソースの前記第１の使用と前記第２のＲＡＴによる前記ＵＥリソースの前記第２の使用との間の競合の割合を、前記ＵＥによって決定するための手段と、および競合の決定された割合が所定のしきい値を超えることに基づいて、前記第２のＲＡＴをサービスする複数の近隣のセルのうちの１つまたは複数の近隣のセルへのセル再選択試みを、前記ＵＥによって開始するための手段とを含む。
【００１０】
[0010]本開示の追加の態様では、プログラムコードを記録した非一時的なコンピュータ可読媒体は、第１のＲＡＴによるＵＥリソースの第１の使用を、ＵＥによって監視することをコンピュータに行わせるためのプログラムコードと、第２のＲＡＴによる前記ＵＥリソースの第２の使用を、前記ＵＥによって監視することをコンピュータに行わせるためのプログラムコードと、ここにおいて、前記ＵＥが前記第２のＲＡＴにおいて現在サービングしているセルによってサービスされる、あらかじめ定義された時間期間にわたる、前記第１のＲＡＴによる前記ＵＥリソースの前記第１の使用と前記第２のＲＡＴによる前記ＵＥリソースの前記第２の使用との間の競合の割合を、前記ＵＥによって決定することをコンピュータに行わせるためのプログラムコードと、競合の決定された割合が所定のしきい値を超えることに基づいて、前記第２のＲＡＴをサービスする複数の近隣のセルのうちの１つまたは複数の近隣のセルへのセル再選択試みを、前記ＵＥによって開始することをコンピュータに行わせるためのプログラムコードとを含む。
【００１１】
[0011]本開示の追加の態様では、ワイヤレス通信のために構成された装置は、少なくとも１つのプロセッサと、プロセッサに結合されたメモリとを含む。プロセッサは、第１のＲＡＴによるＵＥリソースの第１の使用を、ＵＥによって監視することと、第２のＲＡＴによる前記ＵＥリソースの第２の使用を、前記ＵＥによって監視することと、ここにおいて、前記ＵＥが前記第２のＲＡＴにおいて現在サービングしているセルによってサービスされる、あらかじめ定義された時間期間にわたる、前記第１のＲＡＴによる前記ＵＥリソースの前記第１の使用と前記第２のＲＡＴによる前記ＵＥリソースの前記第２の使用との間の競合の割合を、前記ＵＥによって決定することと、競合の決定された割合が所定のしきい値を超えることに基づいて、前記第２のＲＡＴをサービスする複数の近隣のセルのうちの１つまたは複数の近隣のセルへのセル再選択試みを、前記ＵＥによって開始することとを行うように構成される。
【００１２】
[0012]上記では、以下の発明を実施するための形態がより良く理解され得るように、本出願の特徴および技術的利点についてやや広く概説した。特許請求の範囲の主題を形成する、追加の特徴および利点が以下で説明される。開示される概念および特定の態様は、本出願の同じ目的を実行するための他の構造を変更または設計するための基礎として容易に利用され得ることを、当業者は諒解されたい。また、そのような等価な構成は、本出願および添付の特許請求の範囲の趣旨および範囲から逸脱しないことを、当業者は了解されたい。さらなる目的および利点とともに、態様の編成と動作の方法の両方に関して、態様を特徴づけると考えられる新規の特徴は、添付の図に関連して以下の説明を検討するとより良く理解されよう。ただし、図の各々は、例示および説明のみの目的で与えられたものであり、本特許請求の範囲の限界を定めるものではないことを明確に理解されたい。
【図面の簡単な説明】
【００１３】
【図１】[0013]モバイル通信システムの一例を概念的に示すブロック図。
【図２】[0014]本開示の一態様に従って構成された基地局／ｅＮＢおよびＵＥの設計を概念的に示すブロック図。
【図３】[0015]第１のＲＡＴによるＵＥ  ＲＦリソースの使用と第２のＲＡＴによるＵＥ  ＲＦリソースの使用との間の間の競合の例示的な図。
【図４】[0016]第１のＲＡＴによるＵＥ  ＲＦリソースの使用と第２のＲＡＴによるＵＥ  ＲＦリソースの使用との間の間の競合の例示的な図。
【図５】[0017]本開示の一態様に従って構成されたシステムを示すブロック図。
【図６】[0018]本開示の一態様に従って構成されたＵＥを示すブロック図。
【図７】[0019]本開示の一態様を実装するために実行される例示的なブロックを示す機能ブロック図。
【図８Ａ】[0020]本開示の一態様を実装するために実行される例示的なブロックを示す機能ブロックの図。
【図８Ｂ】本開示の一態様を実装するために実行される例示的なブロックを示す機能ブロックの図。
【詳細な説明】
【００１４】
[0021]添付の図面に関して以下に示す発明を実施するための形態は、様々な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は提示を明快にするためにブロック図の形式で示されることとが当業者には明らかであろう。
【００１５】
[0022]本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ（登録商標））およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡ技術およびＥ−ＵＴＲＡ技術はユニバーサルモバイルテレコミュニケーションシステム（ＵＭＴＳ：Universal Mobile Telecommunication System）の一部である。３ＧＰＰロングタームエボリューション（ＬＴＥ（登録商標））およびＬＴＥアドバンスト（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に記載されている。ＣＤＭＡ２０００（登録商標）およびＵＭＢは、「第３世代パートナーシッププロジェクト２」（３ＧＰＰ２）と呼ばれる団体からの文書に記載されている。本明細書で説明される技法は、上記のワイヤレスネットワークおよび無線アクセス技術、ならびに他のワイヤレスネットワークおよび無線アクセス技術のために使用され得る。明快のために、本技法のいくつかの態様は、以下では、ＬＴＥまたはＬＴＥ−Ａ（代替として一緒に「ＬＴＥ／−Ａ」と呼ばれる）に関して説明され、以下の説明の大部分ではそのようなＬＴＥ／−Ａ用語を使用する。
【００１６】
[0023]図１に、ＬＴＥ−Ａネットワークであり得る、通信のためのワイヤレスネットワーク１００を示す。ワイヤレスネットワーク１００は、いくつかの発展型ノードＢ（ｅＮＢ：evolved node Bs）１１０と他のネットワークエンティティとを含む。ｅＮＢは、ＵＥと通信する局であり得、基地局、ノードＢ、アクセスポイントなどと呼ばれることもある。各ｅＮＢ１１０は、特定の地理的エリアに通信カバレージを与え得る。３ＧＰＰでは、「セル」という用語は、その用語が使用されるコンテキストに応じて、ｅＮＢのこの特定の地理的カバレージエリアおよび／またはそのカバレージエリアをサービスするｅＮＢサブシステムを指すことがある。
【００１７】
[0024]ｅＮＢは、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセス（unrestricted access）を可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連付けを有するＵＥ（たとえば、限定加入者グループ（ＣＳＧ：closed subscriber group）中のＵＥ、自宅内のユーザのためのＵＥなど）による制限付きアクセス（restricted access）をも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。図１に示されている例では、ｅＮＢ１１０ａ、１１０ｂおよび１１０ｃは、それぞれマクロセル１０２ａ、１０２ｂおよび１０２ｃのためのマクロｅＮＢである。ｅＮＢ１１０ｘは、ピコセル１０２ｘのためのピコｅＮＢである。また、ｅＮＢ１１０ｙおよび１１０ｚは、それぞれフェムトセル１０２ｙおよび１０２ｚのためのフェムトｅＮＢである。ｅＮＢは、１つまたは複数の（たとえば、２つ、３つ、４つなどの）セルをサポートし得る。
【００１８】
[0025]ワイヤレスネットワーク１００は中継局をも含む。中継局は、上流局（たとえば、ｅＮＢ、ＵＥなど）からデータおよび／または他の情報の送信を受信し、そのデータおよび／または他の情報の送信を下流局（たとえば、別のＵＥ、別のｅＮＢなど）に送る局である。中継局はまた、他のＵＥに対する送信を中継するＵＥであり得る。図１に示されている例では、中継局１１０ｒはｅＮＢ１１０ａおよびＵＥ１２０ｒと通信し得、ここで、中継局１１０ｒは、それらの２つのネットワーク要素（ｅＮＢ１１０ａおよびＵＥ１２０ｒ）間の通信を可能にするために、それらの間のリレーとして働く。中継局は、リレーｅＮＢ、リレーなどと呼ばれることもある。
【００１９】
[0026]ワイヤレスネットワーク１００は同期動作または非同期動作をサポートし得る。同期動作の場合、ｅＮＢは同様のフレームタイミングを有し得、異なるｅＮＢからの送信は時間的にほぼ整合され得る。非同期動作の場合、ｅＮＢは異なるフレームタイミングを有し得、異なるｅＮＢからの送信は時間的に整合されないことがある。
【００２０】
[0027]ＵＥ１２０はワイヤレスネットワーク１００全体にわたって分散され、各ＵＥは固定または移動であり得る。ＵＥは、端末、移動局、加入者ユニット、局などと呼ばれることもある。ＵＥは、セルラーフォン、スマートフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００２１】
[0028]ＬＴＥ／−Ａは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン（tones）、ビン（bins）などとも呼ばれる複数（Ｋ個）の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．４、３、５、１０、１５、または２０メガヘルツ（ＭＨｚ）の対応するシステム帯域幅に対してそれぞれ７２、１８０、３００、６００、９００、および１２００に等しくなり得る。システム帯域幅はまた、サブバンドに区分され得る。たとえば、サブバンドは１．０８ＭＨｚをカバーし得、１．４、３、５、１０、１５、または２０ＭＨｚの対応するシステム帯域幅に対してそれぞれ１、２、４、８、または１６のサブバンドがあり得る。
【００２２】
[0029]ワイヤレスネットワーク１００は、単位面積当たりのシステムのスペクトル効率を改善するために、ｅＮＢ１１０の多様なセット（すなわち、マクロｅＮＢ、ピコｅＮＢ、フェムトｅＮＢ、およびリレー）を使用する。ワイヤレスネットワーク１００は、それのスペクトルカバレージ（spectral coverage）のためにそのような異なるｅＮＢを使用するので、それは異種ネットワークと呼ばれることもある。マクロｅＮＢ１１０ａ〜ｃは、通常、ワイヤレスネットワーク１００のプロバイダによって慎重に計画され、配置される。マクロｅＮＢ１１０ａ〜ｃは、概して、高電力レベル（たとえば、５Ｗ〜４０Ｗ）で送信する。概して、かなり低い電力レベル（たとえば、１００ｍＷ〜２Ｗ）で送信する、ピコｅＮＢ１１０ｘおよび中継局１１０ｒは、マクロｅＮＢ１１０ａ〜ｃによって与えられたカバレージエリア中のカバレージホール（coverage holes）を除去し、ホットスポットにおける容量を改善するために比較的無計画に展開され得る。とはいえ、一般にワイヤレスネットワーク１００とは無関係に展開されるフェムトｅＮＢ１１０ｙ〜ｚは、それらの（１人または複数の）管理者によって許可された場合、ワイヤレスネットワーク１００への潜在的なアクセスポイントとして、または少なくとも、リソース協調（resource coordination）および干渉管理の協調を実施するためにワイヤレスネットワーク１００の他のｅＮＢ１１０と通信し得る、アクティブでアウェア（aware）なｅＮＢとしてのいずれかで、ワイヤレスネットワーク１００のカバレージエリアに組み込まれ得る。フェムトｅＮＢ１１０ｙ〜ｚはまた、一般に、マクロｅＮＢ１１０ａ〜ｃよりもかなり低い電力レベル（たとえば、１００ｍＷ〜２Ｗ）で送信する。
【００２３】
[0030]ワイヤレスネットワーク１００など、異種ネットワーク（heterogeneous network）の動作中、各ＵＥは、通常、より良い信号品質をもつｅＮＢ１１０によってサービスされ、他のｅＮＢ１１０から受信された不要な信号は干渉として扱われる。そのような動作プリンシパルは、著しく準最適（sub-optimal）な性能をもたらすことがあるが、ｅＮＢ１１０の間のインテリジェントリソース協調と、より良いサーバ選択ストラテジーと、効率的な干渉管理のためのより高度の技法とを使用することによって、ワイヤレスネットワーク１００においてネットワーク性能の利得が実現される。
【００２４】
[0031]ピコｅＮＢ１１０ｘなどのピコｅＮＢは、マクロｅＮＢ１１０ａ〜ｃなどのマクロｅＮＢと比較したとき、かなり低い送信電力によって特徴づけられる。ピコｅＮＢはまた、通常、ワイヤレスネットワーク１００などのネットワークの周りにアドホックに配置される。この無計画な展開のために、ワイヤレスネットワーク１００など、ピコｅＮＢ配置をもつワイヤレスネットワークは、低信号対干渉状態（low signal to interference conditions）をもつ大きいエリアを有することが予想され得る、それはカバレージエリアまたはセルのエッジ上のＵＥ（「セルエッジ」ＵＥ）への制御チャネル送信のためのより困難なＲＦ環境（challenging RF environment）に寄与し得る。その上、マクロｅＮＢ１１０ａ〜ｃの送信電力レベルとピコｅＮＢ１１０ｘの送信電力レベルとの間の潜在的に大きい格差（たとえば、約２０ｄＢ）は、混合した展開（mixed deployment）において、ピコｅＮＢ１１０ｘのダウンリンクカバレージエリアがマクロｅＮＢ１１０ａ〜ｃのそれよりもはるかに小さいことを暗示する。
【００２５】
[0032]しかしながら、アップリンクの場合、アップリンク信号の信号強度は、ＵＥによって支配され、したがって、どのタイプのｅＮＢ１１０によって受信されたときでも同様である。ｅＮＢ１１０のためのアップリンクカバレージエリア（uplink coverage areas）がほぼ同じまたは同様であれば、チャネル利得に基づいてアップリンクハンドオフ境界（uplink handoff boundaries）が決定されることになる。これは、ダウンリンクハンドオーバ境界（downlink handover boundaries）とアップリンクハンドオーバ境界との間の不一致をもたらし得る。追加のネットワーク適応（network accommodations）がなければ、前記不一致は、ワイヤレスネットワーク１００におけるサーバ選択またはｅＮＢへのＵＥの関連付けを、ダウンリンクハンドオーバ境界とアップリンクハンドオーバ境界とがより厳密に一致するマクロｅＮＢ専用同種ネットワーク（macro eNB-only homogeneous network）におけるよりも困難にするであろう。
【００２６】
[0033]サーバ選択が主にダウンリンク受信信号強度に基づく場合、ワイヤレスネットワーク１００などの異種ネットワークの混合したｅＮＢ展開（mixed eNB deployment）の有用性は大幅に減少されよう。これは、マクロｅＮＢ１１０ａ〜ｃのより高いダウンリンク受信信号強度が、利用可能なすべてのＵＥを引きつけ、ピコｅＮＢ１１０ｘはそれのはるかに弱いダウンリンク送信電力のためにどのＵＥをもサービスしないことがあるので、マクロｅＮＢ１１０ａ〜ｃなど、より高電力のマクロｅＮＢのより大きいカバレージエリアが、ピコｅＮＢ１１０ｘなどのピコｅＮＢを用いてセルカバレージを分割することの利点を限定するためである。その上、マクロｅＮＢ１１０ａ〜ｃは、それらのＵＥを効率的にサービスするのに十分なリソースを有しない可能性がある。したがって、ワイヤレスネットワーク１００は、ピコｅＮＢ１１０ｘのカバレージエリアを拡大することによってマクロｅＮＢ１１０ａ〜ｃとピコｅＮＢ１１０ｘとの間で負荷をアクティブにバランスさせようと試みる。この概念はセル範囲拡張（ＣＲＥ：cell range extension）と呼ばれる。
【００２７】
[0034]ワイヤレスネットワーク１００は、サーバ選択が決定される様式を変更することによってＣＲＥを達成する。サーバ選択がダウンリンク受信信号強度に基づく代わりに、選択はダウンリンク信号の品質に一層基づく。１つのそのような品質ベースの決定では、サーバ選択は、ＵＥに最小の経路損失（path loss）を与えるｅＮＢを決定することに基づき得る。さらに、ワイヤレスネットワーク１００は、マクロｅＮＢ１１０ａ〜ｃとピコｅＮＢ１１０ｘとの間にリソースの固定区分（fixed partitioning）を与える。しかしながら、このアクティブな負荷バランスを伴う場合でも、ピコｅＮＢ１１０ｘなどのピコｅＮＢによってサービスされるＵＥに対するマクロｅＮＢ１１０ａ〜ｃからのダウンリンク干渉は緩和されるべきである。これは、ＵＥにおける干渉消去、ｅＮＢ１１０間のリソース協調などを含む様々な方法によって達成され得る。
【００２８】
[0035]ワイヤレスネットワーク１００など、セル範囲拡張（cell range extension）を用いる異種ネットワークでは、ＵＥが、マクロｅＮＢ１１０ａ〜ｃなどのより高電力のｅＮＢから送信されたより強いダウンリンク信号の存在下でピコｅＮＢ１１０ｘなどのより低電力のｅＮＢからサービスを取得するために、ピコｅＮＢ１１０ｘは、マクロｅＮＢ１１０ａ〜ｃのうちの支配的干渉マクロｅＮＢ（dominant interfering ones of the macro eNBs 110a-c）との制御チャネルおよびデータチャネル干渉協調（data channel interference coordination）に関与する。干渉協調のための多くの異なる技法が干渉を管理するために採用され得る。たとえば、同一チャネル展開中のセルからの干渉を低減するために、セル間干渉協調（ＩＣＩＣ：inter-cell interference coordination）が使用され得る。１つのＩＣＩＣ機構は適応リソース区分（adaptive resource partitioning）である。適応リソース区分は、いくつかのｅＮＢにサブフレームを割り当てる。第１のｅＮＢに割り当てられたサブフレーム中では近隣のｅＮＢは送信しない。したがって、第１のｅＮＢによってサービスされるＵＥが受ける干渉が低減される。サブフレーム割当ては、アップリンクとダウンリンクの両方のチャネル上で実施され得る。
【００２９】
[0036]たとえば、サブフレームは、保護サブフレーム（Ｕサブフレーム）、禁止サブフレーム（Ｎサブフレーム）、および共通サブフレーム（Ｃサブフレーム）という３つのクラスのサブフレーム間で割り振られ得る。保護サブフレームは、第１のｅＮＢによって排他的に使用するために第１のｅＮＢに割り当てられる。保護サブフレームは、隣接ｅＮＢからの干渉がないことに基づいて「クリーン（clean）」サブフレームと呼ばれることもある。禁止サブフレームは近隣のｅＮＢに割り当てられたサブフレームであり、第１のｅＮＢは、禁止サブフレーム中でデータを送信することを禁止される。たとえば、第１のｅＮＢの禁止サブフレームは、第２の干渉ｅＮＢの保護サブフレームに対応し得る。したがって、第１のｅＮＢは、第１のｅＮＢの保護サブフレーム中でデータを送信する唯一のｅＮＢである。共通サブフレームは、複数のｅＮＢによるデータ送信のために使用され得る。共通サブフレームは、他のｅＮＢからの干渉の可能性があるため「非クリーン（unclean）」サブフレームと呼ばれることもある。
【００３０】
[0037]期間ごとに少なくとも１つの保護サブフレームが静的に割り当てられる。場合によっては、ただ１つの保護サブフレームが静的に割り当てられる。たとえば、期間が８ミリ秒である場合、８ミリ秒ごとに１つの保護サブフレームがｅＮＢに静的に割り当てられ得る。他のサブフレームは動的に割り振られ得る。
【００３１】
[0038]適応リソース区分情報（ＡＲＰＩ：adaptive resource partitioning information）は、非静的に割り当てられたサブフレームが動的に割り振られることを可能にする。保護サブフレーム、禁止サブフレーム、または共通サブフレームのいずれも動的に割り振られ得る（それぞれ、ＡＵ、ＡＮ、ＡＣサブフレーム）。動的割当ては、たとえば、１００ミリ秒ごとにまたはそれ以下などで、急速に変化し得る。
【００３２】
[0039]異種ネットワークは、異なる電力クラスのｅＮＢを有し得る。たとえば、３つの電力クラスが、電力クラスの高いものから順に、マクロｅＮＢ、ピコｅＮＢ、およびフェムトｅＮＢとして定義され得る。マクロｅＮＢとピコｅＮＢとフェムトｅＮＢとが同一チャネル展開中にあるとき、マクロｅＮＢ（アグレッサ（aggressor）ｅＮＢ）の電力スペクトル密度（ＰＳＤ：power spectral density）は、ピコｅＮＢおよびフェムトｅＮＢ（ビクティム（victim）ｅＮＢ）のＰＳＤよりも大きくなり、ピコｅＮＢおよびフェムトｅＮＢとの大量の干渉を生じ得る。ピコｅＮＢおよびフェムトｅＮＢとの干渉を低減するかまたは最小限に抑えるために、保護サブフレームが使用され得る。すなわち、アグレッサｅＮＢ上の禁止サブフレームと対応するように、ビクティムｅＮＢに対して保護サブフレームがスケジュールされ得る。
【００３３】
[0040]ワイヤレスネットワーク１００など、異種ネットワークの展開では、ＵＥは、ＵＥが１つまたは複数の干渉ｅＮＢからの高い干渉を観測し得る支配的干渉シナリオ（dominant interference scenario）において動作し得る。支配的干渉シナリオは、制限付き関連付け（restricted association）により発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限付き関連付けによりフェムトｅＮＢ１１０ｙにアクセスすることが可能でないことがあり、次いで、（図１に示されているように）マクロｅＮＢ１１０ｃに、または（図１に示されていない）同じくより低い受信電力をもつフェムトｅＮＢ１１０ｚに接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。協調干渉管理（coordinated interference management）を使用すると、ｅＮＢ１１０ｃとフェムトｅＮＢ１１０ｙとは、リソースをネゴシエートするためにバックホール１３４を介して通信し得る。ネゴシエーションにおいて、その同じチャネルを介してｅＮＢ１１０ｃと通信するときと同程度のフェムトｅＮＢ１１０ｙからの干渉を、ＵＥ１２０ｙが受けないように、それのチャネルリソースのうちの１つ上での送信を中止することに、フェムトｅＮＢ１１０ｙは同意する。
【００３４】
[0041]そのような支配的干渉シナリオでＵＥにおいて観測される信号電力の相異に加えて、ＵＥと複数のｅＮＢとの間の距離が異なるために、、同期システム中でも、ＵＥによってダウンリンク信号のタイミング遅延も観測され得る。同期システム中のｅＮＢは、推論上、システムにわたって同期される。しかしながら、たとえば、マクロｅＮＢから５ｋｍの距離にあるＵＥについて考察すると、そのマクロｅＮＢから受信されたダウンリンク信号の伝搬遅延は、約１６．６７μｓ（５ｋｍ÷３×１０8、すなわち、光速、「ｃ」）遅延されるであろう。マクロｅＮＢからのそのダウンリンク信号を、はるかに近いフェムトｅＮＢからのダウンリンク信号と比較すると、そのタイミング差は有効期間（ＴＴＬ：time-to-live）誤差のレベルに近づくことがある。
【００３５】
[0042]さらに、そのようなタイミング差は、ＵＥにおける干渉消去に影響を及ぼし得る。干渉消去は、同じ信号の複数のバージョンの組合せ間の相互相関特性（cross correlation properties）をしばしば使用する。同じ信号の複数のコピーを組み合わせることによって、おそらく信号の各コピー上に干渉があることになるが、それがおそらく同じロケーションにはないことになるので、干渉はより容易に識別され得る。組み合わせられた信号の相互相関を使用すると、実際の信号部分が決定され、干渉と区別され得、したがって干渉を消去することが可能になる。
【００３６】
[0043]図２は、図１中の基地局／ｅＮＢのうちの１つであり得る基地局／ｅＮＢ１１０および図１中のＵＥのうちの１つであり得るＵＥ１２０の設計のブロック図を示す。制限付き関連付けシナリオの場合、ｅＮＢ１１０は図１中のマクロｅＮＢ１１０ｃであり得、そしてＵＥ１２０はＵＥ１２０ｙであり得る。ｅＮＢ１１０はまた、何らかの他のタイプの基地局であり得る。ｅＮＢ１１０はアンテナ２３４ａ〜２３４ｔを装備し得、ＵＥ１２０はアンテナ２５２ａ〜２５２ｒを装備し得る。
【００３７】
[0044]ｅＮＢ１１０において、送信プロセッサ２２０は、データソース２１２からデータを受信し、コントローラ／プロセッサ２４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ２２０は、データシンボルおよび制御シンボルを取得するために、それぞれデータおよび制御情報を処理（たとえば、符号化およびシンボルマップ）し得る。送信プロセッサ２２０はまた、たとえば、ＰＳＳ、ＳＳＳ、およびセル固有基準信号のための基準シンボルを生成し得る。送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実施し得、出力シンボルストリームを変調器（ＭＯＤ）２３２ａ〜２３２ｔに与え得る。各変調器２３２は、出力サンプルストリームを取得するために、（たとえば、ＯＦＤＭなどのために）それぞれの出力シンボルストリームを処理し得る。各変調器２３２はさらに、ダウンリンク信号を取得するために、出力サンプルストリームを処理（たとえば、アナログへの変換、増幅、フィルタ処理、およびアップコンバート）し得る。変調器２３２ａ〜２３２ｔからのダウンリンク信号は、それぞれアンテナ２３４ａ〜２３４ｔを介して送信され得る。
【００３８】
[0045]ＵＥ１２０において、アンテナ２５２ａ〜２５２ｒは、ｅＮＢ１１０からダウンリンク信号を受信し得、受信信号をそれぞれ復調器（ＤＥＭＯＤ）２５４ａ〜２５４ｒに与え得る。各復調器２５４は、入力サンプルを取得するために、それぞれの受信信号を調整（たとえば、フィルタ処理、増幅、ダウンコンバート、およびデジタル化）し得る。各復調器２５４はさらに、受信シンボルを取得するために、（たとえば、ＯＦＤＭなどのために）入力サンプルを処理し得る。ＭＩＭＯ検出器２５６は、すべての復調器２５４ａ〜２５４ｒから受信シンボルを取得し、適用可能な場合は受信シンボルに対してＭＩＭＯ検出を実施し、検出シンボルを与え得る。受信プロセッサ２５８は、検出されたシンボルを処理（たとえば、復調、デインターリーブ、および復号）し、ＵＥ１２０の復号されたデータをデータシンク２６０に与え、復号された制御情報をコントローラ／プロセッサ２８０に与え得る。
【００３９】
[0046]アップリンク上では、ＵＥ１２０において、送信プロセッサ２６４が、データソース２６２から（たとえば、ＰＵＳＣＨのための）データを受信し、処理し得、コントローラ／プロセッサ２８０から（たとえば、ＰＵＣＣＨのための）制御情報を受信し、処理し得る。送信プロセッサ２６４はまた、基準信号のための基準シンボルを生成し得る。送信プロセッサ２６４からのシンボルは、適用可能な場合はＴＸ  ＭＩＭＯプロセッサ２６６によってプリコーディングされ、さらに（たとえば、ＳＣ−ＦＤＭなどのために）復調器２５４ａ〜２５４ｒによって処理され、ｅＮＢ１１０に送信され得る。ｅＮＢ１１０において、ＵＥ１２０からのアップリンク信号は、アンテナ２３４によって受信され、変調器２３２によって処理され、適用可能な場合はＭＩＭＯ検出器２３６によって検出され、ＵＥ１２０によって送られた復号されたデータと制御情報とを取得するために、受信プロセッサ２３８によってさらに処理され得る。プロセッサ２３８は、復号されたデータをデータシンク２３９に与え、復号された制御情報をコントローラ／プロセッサ２４０に与え得る。
【００４０】
[0047]コントローラ／プロセッサ２４０および２８０は、それぞれ、ｅＮＢ１１０およびＵＥ１２０における動作を指示し得る。ｅＮＢ１１０におけるコントローラ／プロセッサ２４０ならびに／あるいは他のプロセッサおよびモジュールは、本明細書で説明される技法のための様々なプロセスを実施するか、またはそれらの実行を指示し得る。ＵＥ１２０におけるコントローラ／プロセッサ２８０ならびに／または他のプロセッサおよびモジュールはまた、図５、図７および図８に示されている機能ブロック、および／または本明細書で説明する技法のための他のプロセスを実施するか、またはその実行を指示し得る。メモリ２４２および２８２は、それぞれｅＮＢ１１０およびＵＥ１２０のためのデータおよびプログラムコードを記憶し得る。スケジューラ２４４は、ダウンリンクおよび／またはアップリンク上でのデータ送信のためにＵＥをスケジュールし得る。
【００４１】
[0048]技術の進歩が発生するにつれて、様々な複数の無線アクセス技術（ＲＡＴ）がサービスプロバイダによって展開される。時間およびコストの問題のために、ワイヤレスシステム全体が直ちに交換されないか、または次世代ＲＡＴにアップグレードされないことがある。したがって、所与の地理的領域全体にわたって展開される複数のＲＡＴを見つけることは一般的である。モバイル事業者は、他のサービスは別の共存するＲＡＴによって扱われるが、いくつかのサービスはあるＲＡＴによって扱われることを可能にすることによって、混合したＲＡＴ展開を利用し得る。たとえば、ＬＴＥはパケット交換通信でより良い性能を有し得、ＧＳＭは回線交換通信のために利用可能である。
【００４２】
[0049]モバイル事業者およびモバイルデバイス製造業者は、マルチＲＡＴ動作およびデバイスを与えることによって、この環境を利用し得る。たとえば、同時ＧＳＭボイス（simultaneous GSM（登録商標） voice）およびＬＴＥデータ（ＳＧＬＴＥ）デバイス、または同時ＧＳＭボイスおよび時分割同期符号分割多元接続（ＴＤ−ＳＣＤＭＡ）データ（ＳＧＴＤＳ）デバイスなど、いくつかの複数加入者識別モジュール（マルチＳＩＭ）デバイスは、ＧＳＭのための専用無線機を有し、他のＲＡＴ（たとえば、ＬＴＥ、ＴＤ−ＳＣＤＭＡなど）のための別の専用無線機を有する。
【００４３】
[0050]マルチＳＩＭデバイスの他の例では、リソースが異なるＲＡＴによって共有され得る。たとえば、単一無線機マルチＳＩＭデバイスは、異なるＲＡＴからワイヤレス無線周波数信号を送信および受信することが可能な単一の無線機を有し得る。したがって、単一無線機マルチＳＩＭデバイス（single-radio multi-SIM device）は、ＧＳＭネットワークとＬＴＥネットワークの両方に同時に関連付けられるか、登録されるか、または接続され得、ＧＳＭネットワークまたはＬＴＥネットワークのいずれかとの接続を確立するように構成され得る。デバイスのＲＦリソースが異なるＲＡＴによって共有されるので、第１のＲＡＴ（本明細書ではＲＡＴ１と呼ばれることもある）に関連付けられたアクティビティのためにデバイスによって使用されるＲＦリソースが、第２のＲＡＴ（本明細書ではＲＡＴ２と呼ばれることもある）に関連付けられたアクティビティのためにデバイスによって使用されるＲＦリソースと競合し、それらの両方が（１つまたは複数の）ＲＦリソースを求めて争うとき、ＲＦリソースコンテンション（RF resource contention）が発生することがある。
【００４４】
[0051]たとえば、デバイスは、第１のＲＡＴにおける１つまたは複数のサービス、たとえば、発展型マルチメディアブロードキャストマルチキャストサービス（ｅＭＢＭＳ）、ボイスオーバーＬＴＥ（ＶｏＬＴＥ）、またはＬＴＥ  ＲＡＴにおけるデータファイルダウンロードを実装するために使用される単一のＲＦ無線機を有し得る。しかしながら、これらのＬＴＥサービスを実装するとき、デバイスは、ＧＳＭ  ＲＡＴに関連付けられた様々なアクティビティ、たとえば、ＧＳＭページ監視、近隣のセル同期、またはシステム情報収集などを実施するために、第２のＲＡＴ、たとえば、ＧＳＭ  ＲＡＴに無線機をチューンアウェイ（tuneaway）する必要があり得る。ＬＴＥ  ＲＡＴからＧＳＭ  ＲＡＴへの無線機のこのチューンアウェイ期間中に、ＬＴＥ  ＲＡＴアクティビティが中断されることがある。一般に、ＧＳＭ  ＲＡＴはボイス通信を搬送するので、ＧＳＭ  ＲＡＴアクティビティはＬＴＥ  ＲＡＴアクティビティよりも優先され得る。したがって、ＧＳＭ  ＲＡＴアクティビティを実施するための無線機の使用とＬＴＥ  ＲＡＴアクティビティを実施するための無線機の使用との間に競合があるとき、ＧＳＭ  ＲＡＴアクティビティのための無線機の使用は、ＬＴＥ  ＲＡＴアクティビティのための無線機の使用よりも高い優先度を与えられ得る。したがって、ＬＴＥ  ＲＡＴアクティビティのための無線機の使用がＧＳＭアクティビティのための無線機の使用と競合するとき、ＬＴＥ  ＲＡＴアクティビティのための無線機の使用は、ＧＳＭ  ＲＡＴアクティビティのための無線機の使用のほうを優先して中断されることがある。ＬＴＥ  ＲＡＴのための無線機の使用におけるこの中断は、ＬＴＥ  ＲＡＴアクティビティの性能劣化を引き起こし得る。
【００４５】
[0052]図３は、無線機がＧＳＭページ起動（GSM page wakeup）およびＬＴＥ  ｅＭＢＭＳのためにＧＳＭとＬＴＥとによって共有されるときに発生することがある、競合の一例を示すブロック図である。この例では、単一無線機デバイスが、ＬＴＥ  ＲＡＴ動作であるｅＭＢＭＳのために使用されている。時間期間３１０中に、単一の無線機が、ｅＭＢＭＳデータを処理するために使用される。しかしながら、時間期間３１０中に、デバイスはまた、時間期間３１０と重複する時間期間３２０の間、ＧＳＭ  ＲＡＴ動作であるＧＳＭページ起動を実施するようにスケジュールされる。ＧＳＭページ起動は、ＬＴＥ  ＲＡＴからＧＳＭ  ＲＡＴへの単一の無線機のチューンアウェイを必要とし、それは、期間３２０中にＬＴＥ  ＲＡＴ  ｅＭＢＭＳのための単一の無線機の使用とＧＳＭページ起動のためのＧＳＭ  ＲＡＴのための無線機の使用との間の競合をもたらす。ＧＳＭ動作はＬＴＥ動作に勝る優先度を与えられ得るので、無線機は、期間３２０中にＬＴＥ  ＲＡＴからＧＳＭ  ＲＡＴへのチューンアウェイを実施する。その結果、ｅＭＢＭＳデータは競合の期間３２０中に失われる。その上、この例では、デバイスは、間欠受信（ＤＲｘ）を使用してＧＳＭ  ＲＡＴにおいて動作しており、したがって、ＧＳＭページ起動はスケジュールされた期間中にのみ実施される。ＧＳＭ  ＤＲｘを使用することは、電力消費を低減し、これはバッテリー寿命を延長するが、それはまた、ＧＳＭページ起動が本質的に周期的／循環的（periodic/cyclic）であるので、ＬＴＥサービスとＧＳＭアクティビティとの間で競合が発生する見込みを増加させる。一般に、ＧＳＭネットワーク展開において使用されるＤＲｘサイクルは比較的短く、たとえば、４７０ｍｓである。結果として、ＧＳＭページ起動がＬＴＥ  ＲＡＴアクティビティと競合する高い見込みがある。
【００４６】
[0053]図４は、マルチＳＩＭデバイスのリソースが第１のＲＡＴと第２のＲＡＴとによって共有されるときの競合の別の例を示すブロック図である。この例では、デバイスは、ＬＴＥ  ＲＡＴによって促進される節電特徴である接続モードＤＲＸ（ＣＤＲｘ）でＬＴＥ  ＲＡＴにおいて動作している。図４に示されているように、デバイスは、ＣＤＲｘサイクル４１０内にオン持続時間４２０を割り振られ、その間にデバイスはダウンリンク送信、たとえば、ＰＤＣＣＨを監視することなど、ＬＴＥ  ＲＡＴアクティビティを実施し得る。ＬＴＥオン持続時間４２０の外では、デバイスは電力消費の低減のために無線機をオフにし得る。しかしながら、ＬＴＥオン持続時間４２０中に、デバイスはまた、ＬＴＥオン持続時間４２０と重複する時間期間４３０の間、ＧＳＭ  ＲＡＴ動作であるＧＳＭページ起動を実施するようにスケジュールされる。上記で説明されたように、ＧＳＭページ起動は、ＬＴＥ  ＲＡＴからＧＳＭ  ＲＡＴへの単一の無線機のチューンアウェイをトリガする。したがって、この例では、無線機は、時間期間４３０中にＬＴＥ  ＲＡＴからＧＳＭ  ＲＡＴにチューンアウェイし得る。その結果、ＬＴＥ  ＣＤＲｘは時間期間４３０の競合中に中断される。
【００４７】
[0054]したがって、本開示の様々な態様は、第１のＲＡＴと第２のＲＡＴとによるリソースの共用（shared use）間の競合を低減するかまたはなくすことを対象とする。本開示は、第１のＲＡＴと第２のＲＡＴとによるＲＦリソースの共用間の競合を低減するコンテキストにおける態様について説明するが、第１のＲＡＴと第２のＲＡＴとによるデバイスの共有されるリソース間の競合、ＲＦリソース以外も想定されることに留意されたい。たとえば、共有されるリソースはベースバンドリソースを含み得る。
【００４８】
[0055]図５は、本開示の態様による、マルチＲＡＴ動作のために構成された単一無線機ＵＥ５００を示すブロック図である。図５に示されている例は、図６に示されているハードウェアと構成要素とに関して説明される。図６は、ＵＥ５００を示すブロック図である。ＵＥ５００は、プロセッサ６２０と、メモリ６３０と、無線機６１０とを含み得る。メモリ６３０は、プロセッサ６２０によって実行されたとき、図３〜図８を参照しながら本明細書で説明される動作をプロセッサ６２０に実施させる命令を記憶し得る。一態様では、ＵＥ５００は、図１のＵＥ１２０（たとえば、図１のＵＥ１２０ｘまたはＵＥ１２０ｙ）であり得るか、または図２を参照しながら説明されたＵＥ１２０であり得る。いくつかの態様では、無線機６１０は、ワイヤレス通信を行うための様々な構成要素とハードウェアとを含み得る（たとえば、１つまたは複数の送信機および受信機、１つまたは複数のトランシーバを含み得、１つまたは複数のアンテナまたはアンテナアレイを含み得る）。たとえば、無線機６１０は、図２を参照しながら説明されたアンテナ５５２ａ〜５５２ｒと、他の回路（たとえば、図２の復調器／変調器５５４ａ〜５５４ｒ、図２のＭＩＭＯ検出器５５６、受信プロセッサ５５８、送信ＭＩＭＯプロセッサ５６６、図２の送信プロセッサ５６４など）とを含み得る。一態様では、プロセッサ６２０は図２のコントローラ／プロセッサ５８０であり得、メモリ６３０は図２のメモリ５８２であり得る。
【００４９】
[0056]図５に示されている例示的な態様では、ＵＥ５００は、第１のＲＡＴ（またはＲＡＴ１）セル５１０によってサービスされ、また、第２のＲＡＴ（またはＲＡＴ２）セル５２０によってサービスされるものとして示されており、これは、ＵＥ５００がＲＡＴ１またはＲＡＴ２のいずれかにおいてアクティビティを実施することを可能にし得る。ＵＥ５００は、ＲＡＴ１においてアクティビティを実施することが、（たとえば、ＲＡＴ１サービングセル５１０を介して）ＲＡＴ１にチューン（tune）された単一無線機を使用し、ＲＡＴ２においてアクティビティを実施することが、（たとえば、ＲＡＴ２サービングセル５２０を介して）ＲＡＴ２にチューンされた単一無線機を使用するように、構成され得ることを理解されたい。その上、この例では、近隣のＲＡＴ２セル５２１および５２２はＲＡＴ２内で動作するが、現在、ＵＥ５００をサービスしていない。
【００５０】
[0057]動作中に、ＵＥ５００はＲＡＴ１アクティビティを監視し得る。監視することは、ＲＡＴ１アクティビティのための無線機６１０の使用を監視することを含み得る。たとえば、ＵＥは、無線機６１０がＲＡＴ１にチューンされた時間期間、たとえば、ＲＡＴ１サービングセル５１０のサービング周波数にチューンされた時間期間を決定し得る。いくつかの例では、ＵＥ５００は、ＲＡＴ１がＬＴＥである場合、ＵＥ５００がｅＭＢＭＳ、ＶｏＬＴＥ、またはデータファイルダウンロードなど、ＲＡＴ１サービスのために使用されているかどうかを決定し得、それらのサービスのためのＲＦリソースの使用を監視し得る。追加または代替として、ＵＥ５００は、ＬＴＥ  ＣＤＲｘが使用されているかどうかを決定し得、ＣＤＲｘサイクルのオン持続時間を含むＣＤＲｘサイクルを決定し得る。ＵＥ５００の監視機能はプロセッサ６２０によって制御され得る。
【００５１】
[0058]ＵＥ５００は、ＲＡＴ２を使用するアクティビティをも監視し得る。監視することは、ＲＡＴ２に関連付けられたアクティビティのための無線機６１０の使用を監視することを含み得る。たとえば、ＵＥは、無線機６１０がＲＡＴ２にチューンされた時間期間、たとえば、ＲＡＴ２サービングセル５２０のサービング周波数にチューンされた時間期間を決定し得る。そのような事例では、ＵＥ５００は、ＧＳＭ  ＤＲｘが使用されているかどうかを決定し得、ＧＳＭページ起動の期間を監視し得る。
【００５２】
[0059]第１のＲＡＴとの無線機６１０の使用と第２のＲＡＴとの無線機６１０の使用とを監視するためのＵＥ５００の機能は、ＵＥ５００が第１のＲＡＴと第２のＲＡＴとによって共有されるリソースとの競合があるときを決定することを可能にし得る。したがって、ＵＥ５００は、無線機６１０が、あらかじめ定義された時間期間にわたって第１のＲＡＴと第２のＲＡＴとによって共有されるときの競合の割合を決定し得る。たとえば、図３を参照すると、ＵＥ５００は、あらかじめ定義された時間期間３３０にわたって、無線機６１０が、ｅＭＢＭＳのために時間期間３１０の間、ＬＴＥ  ＲＡＴによって使用され、ＧＳＭページ起動を実施するために時間期間３２０の間、ＧＳＭ  ＲＡＴによって使用されると決定し得る。ＵＥ５００は、時間期間３１０と３２０とが重複し、そしてしたがって、無線機６１０が、あらかじめ定義された時間期間３３０中にＬＴＥ  ＲＡＴとＧＳＭ  ＲＡＴとによって共有されるとき、無線機６１０がＬＴＥ  ＲＡＴからＧＳＭ  ＲＡＴにチューンアウェイしなければならないので、競合があると決定し得る。ＵＥ５００は、時間期間３２０が完全に時間期間３１０内に発生するので、競合の期間を時間期間３２０として決定し得る。ＧＳＭページ起動の期間は、ＬＴＥ  ＲＡＴアクティビティと完全に重複するとは限らず、ＧＳＭページ起動期間の一部分の間にのみ重複し得ることを理解されたい。ＵＥ５００はまた、第１のＲＡＴと第２のＲＡＴとの間に競合があるとき、競合の期間３２０が表す、あらかじめ定義された時間期間３３０の割合を決定することによって、あらかじめ定義された時間期間３３０の割合を計算し得る。たとえば、競合の割合は、時間期間３２０を競合の期間として、および時間期間３３０をあらかじめ定義された時間期間として、以下の式１に従って計算され得る。競合の計算された割合はメモリ６３０に記憶され得る。
競合（％）＝（競合の期間／あらかじめ定義された時間期間）×１００        （１）
【００５３】
[0060]追加の態様では、ＵＥ５００はまた、あらかじめ定義された時間期間にわたる、いくつかの競合割合を測定し得る。たとえば、ＵＥ５００は、あらかじめ定義された時間期間３４０内の各時間期間３３０の間の競合割合を決定し得る。上記で説明されたように、競合割合は、第１のＲＡＴによる無線機６１０の使用が第２のＲＡＴによる無線機６１０の使用と競合するときの時間の割合を示す。ＵＥ５００は、あらかじめ定義された時間期間３４０にわたる、各時間期間３３０の測定された競合割合の平均を計算し得る。計算された平均はメモリ６３０に記憶され得る。
【００５４】
[0061]ＵＥ５００は、あらかじめ定義された時間期間にわたる、競合の決定された割合を、所定のしきい値と比較し得る。第１のＲＡＴによる無線機６１０の使用と第２のＲＡＴによる無線機６１０の使用との間の競合の決定された割合が、所定のしきい値を超えたと決定された場合、ＵＥ５００は、第２のＲＡＴサービングセル（RAT serving cell）５２０から近隣のセル５２１および５２２のうちの１つへのセル再選択試みを開始し得る。ＧＳＭ  ＤＲｘサイクル、したがってＧＳＭページ起動が、異なるセルにおいて変動するので、ＧＳＭセル再選択は、ＧＳＭ  ＲＡＴによる無線機の使用とＬＴＥ  ＲＡＴによる無線機の使用との間の競合の低減または回避を生じ得る。
【００５５】
[0062]本開示のいくつかの態様では、セル再選択試み（cell reselection attempt）は近隣のＲＡＴ２セルの受信電力にさらに基づき得る。したがって、セル再選択は、近隣のＲＡＴ２セルの受信電力が受信電力しきい値を超えた場合、近隣のＲＡＴ２セルに対して開始されることになるにすぎない。たとえば、図５および図６を参照すると、第１のＲＡＴサービングセル５１０による無線機６１０の使用と第２のＲＡＴサービングセル５２０による無線機６１０の使用との間の競合割合がしきい値を超えたという決定に基づいて、ＵＥ５００は、近隣の第２のＲＡＴセル５２１へのセル再選択試みを開始し得る。セル再選択試みの一部として、ＵＥ５００は、近隣の第２のＲＡＴセル５２１の受信電力を決定し、決定された受信電力を受信電力しきい値と比較し得る。ＵＥ５００が、近隣の第２のＲＡＴセル５２１の測定された受信電力が受信電力しきい値を超えたと決定した場合、ＵＥ５００は、再選択のために近隣の第２のＲＡＴセル５２１を選択することになる。セル再選択試みを近隣の第２のＲＡＴセルの受信電力にさらに基づかせることは、新しい第２のＲＡＴサービングセルが第２のＲＡＴアクティビティをサポートすることが可能であることを保証する。この意味で、第１のＲＡＴ性能は改善され得、第２のＲＡＴ性能は維持される。
【００５６】
[0063]ＵＥ５００が、近隣の第２のＲＡＴセル５２１の測定された受信電力が受信電力しきい値を超えないと決定した場合、ＵＥ５００は、再選択のために近隣の第２のＲＡＴセル５２１を選択しないことになる。代わりに、ＵＥ５００は、近隣の第２のＲＡＴセル５２２へのセル再選択試みを開始し得る。近隣の第２のＲＡＴセル５２２は、近隣の第２のＲＡＴセル５２２の受信電力が受信電力しきい値を超えることが決定された場合にのみ、再選択のためにＵＥ５００によって選択され得る。
【００５７】
[0064]ＵＥ５００が再選択のために近隣の第２のＲＡＴセルのうちの１つを選択するとき、および近隣の第２のＲＡＴセルへのセル再選択試みが成功したとき、ＵＥ５００は再選択された第２のＲＡＴセルの競合の割合を決定し得る。たとえば、ＵＥ５００は、第１のＲＡＴサービングセル５１０を介した第１のＲＡＴとの無線機６１０の使用と、新たに再選択された近隣の第２のＲＡＴセルを介した第２のＲＡＴとの無線機６１０の使用とを監視し得る。ＵＥ５００はまた、上記で説明されたように、第１のＲＡＴによる無線機６１０の使用が第２のＲＡＴによる無線機６１０の使用と競合するときの時間の割合を決定することによって、第１のＲＡＴによる無線機６１０の使用と第２のＲＡＴによる無線機６１０の使用との間の競合の割合を決定し得る。競合の新しい測定された割合はメモリ６３０に記憶され得る。
【００５８】
[0065]当業者は、第１のＲＡＴによるＲＦリソースの使用と第２のＲＡＴによるＲＦリソースの使用との間の競合の割合を測定することが、各新たに再選択された近隣の第２のＲＡＴセルについて実施され得ることを認識されよう。したがって、たとえば、ＵＥ５００が新しい第２のＲＡＴサービングセルを選択するたびに、第１のＲＡＴと第２のＲＡＴとの間の競合の割合が測定され、メモリ６３０に記憶され得る。
【００５９】
[0066]本開示の様々な追加の態様では、ＵＥ５００はセル再選択試みのカウントを維持する。第２のＲＡＴセルが再選択試みのために選択されるたびに、セル再選択試みのカウントは増加させられる。さらに、ＵＥ５００によって正常に再選択された各第２のＲＡＴセルのための競合割合は、メモリ６３０に記憶され得る。この例では、ＵＥ５００が近隣の第２のＲＡＴセルへのセル再選択試みを開始するとき、セル再選択試みのカウントが試みのしきい値と比較される。ＵＥ５００が、セル再選択試みのカウントが試みのしきい値を超えないと決定した場合、ＵＥ５００は、近隣の第２のＲＡＴセルへのセル再選択試みを続ける。しかしながら、ＵＥ５００が、セル再選択試みのカウントが試みのしきい値を超えたと決定した場合、ＵＥ５００は、図６のメモリ６３０に記憶された競合の割合に基づいて第２のＲＡＴセルへのセル再選択試みを開始する。たとえば、第２のＲＡＴセルがＵＥ５００によって選択され得、そのセルの競合の割合が測定され、メモリ６３０に記憶され得る。選択されたセルの競合の測定された割合が所定のしきい値を超えると決定されることもある。この例では、ＵＥ５００は、別のＲＡＴ第２のセル、たとえば、近隣の第２のＲＡＴセルへのセル再選択試みを開始するが、前に選択された第２のＲＡＴセルの競合の測定された割合はメモリ６３０に記憶されたままである。いくつかの態様では、特定のセルの競合の測定された割合は、新しいセルが競合の記憶された割合に基づいて再選択されるまでメモリ６３０に記憶されたままであり得、次いで、特定のセルの競合の記憶された割合はメモリからフラッシュされ得る。代替的に、特定のセルの競合の記憶された割合は、新しいセルが競合の記憶された割合に基づいて再選択された後、メモリに残り得、特定のセルへの再選択試みが失敗するまでフラッシュされないことがある。
【００６０】
[0067]新たに選択された第２のＲＡＴ第２のセル（second RAT second cell）とともに同じイベントが発生し得る。したがって、この例では、セル再選択試みのカウントが試みのしきい値を超えたとき、ＵＥ５００は、競合の測定された割合が最も低い第２のＲＡＴセルを決定するために、メモリ６３０中の競合の割合を使用し得る。ＵＥ５００は、競合の測定された割合が最も低い第２のＲＡＴセルへのセル再選択試みを開始し得る。いくつかの態様では、競合の最も低い測定された割合は所定のしきい値を超え得るが、セル再選択試みの数を制限することは、ＵＥ５００が短い時間量において異なる第２のＲＡＴセル間で行ったり来たりしないことを保証しながら、また、第１のＲＡＴと第２のＲＡＴとの間の最も低い利用可能な競合割合を保証することによってマルチＲＡＴデバイスにおける性能を増加させる。
【００６１】
[0068]非アクティブのタイマーは、セル再選択試みのカウントが試みのしきい値を超えたときに開始され得る。非アクティブのタイマーの満了前に、競合の割合に基づくセル再選択試みが開始されないことがある。試みのしきい値の場合と同様に、非アクティブのタイマーは、ＵＥ５００が短い時間量において異なる第２のＲＡＴセル間で行ったり来たりしないことを保証する。
【００６２】
[0069]本開示の態様の１つの利益は、セル再選択がネットワークの介入なしに、ＵＥ自体によって実施され得るということである。たとえば、サービングセルおよび近隣のセルの測定が、レガシーなページ監視アクティビティ（page monitoring activity）の一部としてすでに行われているので、ＵＥはセル再選択のために別個の測定を実施する必要がない。したがって、レガシーな測定は、ＵＥによる効率的なセル再選択を実施するために使用され得る。
【００６３】
[0070]本開示のいくつかの態様では、第１のＲＡＴと第２のＲＡＴとによるＲＦリソースの共用間の競合割合は、内部ソフトウェアモジュールを使用して計算され得る。たとえば、一例では、競合割合は、トランシーバリソースマネージャ（ＴＲＭ）を使用して計算され得る。ＴＲＭは、リソースを異なるＲＡＴ間で割り振るために、異なるＲＡＴの現在のアクティビティと今度のアクティビティとに関する情報を使用する。そのようなリソース割振り情報を使用して、異なるＲＡＴ間の競合割合が計算され得る。別の例では、競合割合を計算するために、あるＲＡＴからの個々のレイヤ１ソフトウェアモジュール（Layer 1 software modules）が別のＲＡＴからのレイヤ１ソフトウェアモジュールと相互作用し得る。
【００６４】
[0071]図７は、本開示の一態様を実装するために実行される例示的なブロックを示す機能ブロック図である。ブロック７００において、ＵＥは第１のＲＡＴによるＵＥリソースの第１の使用を監視する。ブロック７１０において、ＵＥは第２のＲＡＴによるＵＥリソースの第２の使用を監視する。
【００６５】
[0072]ブロック７２０において、ＵＥは、あらかじめ定義された時間期間にわたる、第１のＲＡＴによるＵＥリソースの第１の使用と第２のＲＡＴによるＵＥリソースの第２の使用との間の競合の割合を決定する。競合の割合を決定することは、あらかじめ定義された時間期間にわたる、いくつかの競合割合を測定することと、あらかじめ定義された時間期間にわたる、測定された競合割合の平均を計算することとを含み得る。各競合割合は、第１のＲＡＴによるＵＥリソースの第１の使用が第２のＲＡＴによるＵＥリソースの第２の使用と競合する時間の割合を示し得る。第１のＲＡＴによるＵＥリソースの第１の使用と第２のＲＡＴによるＵＥリソースの第２の使用との間の競合が、第１のＲＡＴから第２のＲＡＴへのチューンアウェイ期間中に発生し得る。
【００６６】
[0073]ブロック７３０において、ＵＥは、競合の決定された割合が所定のしきい値を超えることに基づいて、第２のＲＡＴをサービスする１つまたは複数の近隣のセルへのセル再選択試みを開始する。競合の決定された割合は、それへのセル再選択試みが発生した各近隣のセルについてメモリに記憶され得る。セル再選択試みの開始は、近隣のセルの受信電力が受信電力しきい値を超えることにさらに基づき得る。
【００６７】
[0074]近隣のセルのうちの１つが新しい第２のＲＡＴサービングセルとして正常に選択されたとき、ＵＥは、第１のＲＡＴによるＵＥリソースの第１の使用を監視し、第２のＲＡＴによるＵＥリソースの第２の使用を監視し、第１の使用と第２の使用との間の競合の割合を決定し、新しくサービングしているセルとして新たに選択された近隣のセルとのセル再選択試みを開始し、および新しくサービングしているセルの競合の割合を記憶することに留意されたい。ＵＥはまた、ＵＥが現在サービングしているセルから近隣のセルのうちの１つへのセル再選択試みを開始する回数を示すセル再選択試みのカウントを維持し得る。セル再選択試みの開始は、セル再選択試みのカウントが試みのしきい値を超えることに応答して、メモリに記憶された競合の最も低い割合を有する近隣のセルへのセル再選択試みを開始することを含み得、セル再選択試みのカウントが試みのしきい値を超えた後に、非アクティブのタイマーを開始することをさらに含み得る。非アクティブのタイマーの満了前に、競合の決定された割合に基づくさらなるセル再選択試みが開始されない。
【００６８】
[0075]図８Ａ〜図８Ｂは、本開示の一態様を実装するために実行される例示的なブロックを示す図である。この例示的な態様によるプロシージャは、図８Ａのブロック８００において開始する。ブロック８０１において、ＵＥがマルチＲＡＴ構成において動作しているかどうかの決定が行われる。たとえば、ＵＥがＳＶＬＴＥ＋Ｇ構成、ＳＧＬＴＥ＋Ｇ構成、またはＳＲＬＴＥ＋Ｇ構成において動作していると決定され得る。詳細には、ブロック８０１において、ＵＥが２つの異なるＲＡＴ、第１のＲＡＴおよび第２のＲＡＴを使用する構成において動作しているかどうかが決定される。この態様の例では、第１のＲＡＴおよび第２のＲＡＴは、ＧＳＭ、ＬＴＥ、ＴＤ−ＳＣＤＭＡ、ＷＩＦＩなど、様々な異なるタイプのＲＡＴであり得る。ＵＥがマルチＲＡＴ構成において動作していないと決定された場合、異なるＲＡＴ間の競合がなく、したがって、実行は停止される。
【００６９】
[0076]ＵＥがマルチＲＡＴ構成において動作していると決定された場合、ブロック８０２において、ＵＥは、第１のＲＡＴがアクティビティを実施しているかどうかを決定し、また、第２のＲＡＴがアクティビティを実施するようにスケジュールされたかどうかを決定する。両方またはいずれかが真でない場合、競合の見込みがなく、したがって、実行は停止される。しかしながら、第１のＲＡＴがＬＴＥサービスを受信するために使用されており、ＵＥが第２のＲＡＴアクティビティを実施するようにスケジュールされた場合、競合の可能性がある。たとえば、ＵＥがサービスのためにＬＴＥ  ＲＡＴを使用し、そして周期的ＧＳＭページ起動がＧＳＭ  ＲＡＴについて実施されるようにスケジュールされたとＵＥが決定した場合、それはＧＳＭ  ＲＡＴへのＲＦ無線チューンアウェイを必要とすることになり、競合の可能性がある。したがって、ブロック８０３において、セル再選択試みのカウントがリセットされ、ブロック８０４において、タイマーＴconfを開始する。
【００７０】
[0077]ブロック８０５において、ＵＥは、第１のＲＡＴによるＲＦリソースの使用と第２のＲＡＴによるＲＦリソースの使用との間の競合割合を監視する。ブロック８０６において、競合割合は所定のしきい値Ｐcと比較される。競合割合がしきい値Ｐcを超えない場合、実行は、タイマーＴconfが再開されるブロック８０４に戻る。競合割合がしきい値Ｐcを超えた場合、ＵＥは、ブロック８０７において、タイマーＴconfが満了したかどうかを決定する。タイマーＴconfが満了していない場合、実行は、競合割合を監視し続けるためにブロック８０５に戻る。したがって、ＵＥは、タイマーＴconfに対応する、少なくとも所定の時間期間の間、競合割合を監視する。タイマーＴconfが満了した場合、ブロック８０８において、現在の第２のＲＡＴセルにおいて測定された競合割合の平均を計算し、メモリに記憶する。
【００７１】
[0078]ブロック８０９において、ＵＥは、現在のセル再選択試みのカウントが試みのしきい値Ｎを下回るかどうかを決定する。現在のセル再選択試みのカウントがしきい値Ｎを下回る場合、ブロック８１０において、ＵＥは、近隣の第２のＲＡＴセルへのセル再選択試みをトリガする。ブロック８１１において、ＵＥは、セル再選択ターゲット第２のＲＡＴセル（cell reselection target second RAT cell）の受信電力が電力しきい値ＴHを超えるかどうかを決定する。ＵＥが、セル再選択ターゲット第２のＲＡＴセルの受信電力が電力しきい値ＴHを超えたと決定した場合、ブロック８１２において、ＵＥはターゲット第２のＲＡＴセルの再選択を実施する。ブロック８１３において、ＵＥは、ターゲット第２のＲＡＴセルの再選択が成功したかどうかを決定する。ＵＥが、ブロック８１３において、ターゲット第２のＲＡＴセルの再選択が成功しなかったと決定した場合、またはＵＥがブロック８１１において、セル再選択ターゲット第２のＲＡＴセルの受信電力が電力しきい値ＴHを超えないと決定した場合、実行は、別の近隣の第２のＲＡＴセルへの再選択を試みるためにブロック８１０に戻る。
【００７２】
[0079]ブロック８１３において、ＵＥが、ターゲット第２のＲＡＴセルの再選択が成功したと決定した場合、ブロック８１４において、セル再選択試みのカウントは１だけ増加され、実行は、新たに選択された第２のＲＡＴ近隣のセル（second RAT neighboring cell）を第２のＲＡＴサービングセルとして、第１のＲＡＴと第２のＲＡＴとの間の競合割合を監視するためにブロック８０５に戻る。
【００７３】
[0080]図８Ｂを続けると、図８Ａのブロック８０９において、ＵＥが、現在のセル再選択試みのカウントが試みのしきい値Ｎに達したと決定した場合、図８Ｂのブロック８１５において、ＵＥは、図８Ａのブロック８０８においてメモリに記憶された情報に基づいて第２のＲＡＴセルへのセル再選択試みをトリガする。図８Ｂのブロック８１６において、ＵＥは、メモリに記憶された平均の競合割合が最も低い第２のＲＡＴセルを決定することによって、セル再選択ターゲット第２のＲＡＴセルを識別する。この時点で、メモリに記憶された最も低い平均の競合割合がしきい値Ｐcを超える可能性があることに留意されたい。これは、ブロック８１５が、セル再選択試みのカウントが試みのしきい値に達した場合にのみ実行され、これが、第２のＲＡＴサービングセルとして選択されたすべての第２のＲＡＴセルが、しきい値を超えた競合割合をおそらく有することを示すからである。ブロック８１８において、ＵＥは識別されたターゲット第２のＲＡＴセルの再選択を実施し、ブロック８１８において、ＵＥは再選択が成功したかどうかを決定する。再選択試みが成功しなかった場合、ブロック８１９において、識別されたセル再選択ターゲット第２のＲＡＴセルをメモリから削除する。ブロック８２０において、ＵＥが、メモリが空でないと決定した場合、ＵＥは、別のセル再選択ターゲット第２のＲＡＴセルを識別するためにブロック８１５における実行に戻り、他の場合、ブロック８２１において、ＵＥは、レガシー機構を使用することを回復し、ブロック８２２において実行を終了する。
【００７４】
[0081]本開示のいくつかの態様では、正常に選択された第１のＲＡＴセルおよび第２のＲＡＴセルのリストが、レガシー機構の一部として異なる内部メモリ中で維持される。したがって、セル再選択がメモリに記憶されたすべての第２のＲＡＴセルに対して失敗したとき、またはメモリが空のとき、ＵＥは、異なる内部メモリに記憶された、最近正常に選択されたセルのリスト中のセルへの再選択を試みるためにレガシー機構を使用し得る。
【００７５】
[0082]ブロック８１８において、ＵＥが、再選択が成功したと決定した場合、ブロック８２３において、Ｔinactiveタイマーを開始する。新たに再選択された第２のＲＡＴセルの競合割合が所定のしきい値Ｐcを超える可能性があり、これは、Ｔinactiveタイマーがなければ、セル再選択試みをトリガすることになるので、Ｔinactiveタイマーは、ＵＥが短い時間量において異なる第２のＲＡＴセル間で行ったり来たりすることを回避するために、ＵＥによって使用される。したがって、ブロック８２５において、Ｔinactiveタイマーが満了したと決定されるまで、ブロック８２４において、競合割合に基づくセル再選択試みを開始しない。Ｔinactiveタイマーが満了したとき、実行は図８Ａのブロック８０１に戻る。
【００７６】
[0083]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００７７】
[0084]図５〜図８の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００７８】
[0085]さらに、本明細書の開示に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップが、上記では概してそれらの機能に関して説明された。そのような機能がハードウェアとして実装されるか、ソフトウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。当業者はまた、本明細書で説明された構成要素、方法、または相互作用の順序あるいは組合せは例にすぎないこと、および本開示の様々な態様の構成要素、方法、または相互作用は、本明細書で例示され、説明されたもの以外の方法で組み合わせられるかまたは実施され得ることを容易に認識されよう。
【００７９】
[0086]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８０】
[0087]本明細書の開示に関して説明された方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００８１】
[0088]１つまたは複数の例示的な設計では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。コンピュータ可読記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気記憶デバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、接続はコンピュータ可読媒体と適切に呼ばれ得る。たとえば、ソフトウェアが、同軸ケーブル、光ファイバーケーブル、ツイストペア、またはデジタル加入者線（ＤＳＬ）を使用して、ウェブサイト、サーバ、またはその他のリモートソースから送信される場合、同軸ケーブル、光ファイバーケーブル、ツイストペア、またはＤＳＬは、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００８２】
[0089]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）およびそれらの任意の組合せを意味するような選言的列挙（disjunctive list）を示す。
【００８３】
[0090]本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］
ワイヤレス通信の方法であって、
第１の無線アクセス技術（ＲＡＴ）によるＵＥリソースの第１の使用を、ユーザ機器（ＵＥ）によって監視することと、
第２のＲＡＴによる前記ＵＥリソースの第２の使用を、前記ＵＥによって監視することと、ここにおいて、前記ＵＥは前記第２のＲＡＴにおいて現在サービングしているセルによってサービスされる、
あらかじめ定義された時間期間にわたる、前記第１のＲＡＴによる前記ＵＥリソースの前記第１の使用と前記第２のＲＡＴによる前記ＵＥリソースの前記第２の使用との間の競合（conflict）の割合を、前記ＵＥによって決定することと、および
競合の前記決定された割合が所定のしきい値を超えることに基づいて前記第２のＲＡＴの複数の近隣のセルのうちの１つまたは複数の近隣のセルへのセル再選択試み（cell reselection attempt）を、前記ＵＥによって開始することと
を備える、方法。
［Ｃ２］
それへの前記セル再選択試みが発生した前記複数の近隣のセルの各々についてメモリに競合の前記割合を記憶すること
をさらに備える、Ｃ１に記載の方法。
［Ｃ３］
前記現在サービングしているセルから前記１つまたは複数の近隣のセルへの前記セル再選択試みを前記ＵＥが開始する回数を示すセル再選択試みのカウント（cell reselection attempt count）を維持すること、
前記第１の使用を前記監視することと、前記第２の使用を前記監視することと、競合の前記割合を前記決定することと、新しくサービングしているセルとして前記１つまたは複数の近隣のセルとの前記セル再選択試みを前記開始することと、および前記新しくサービングしているセル（new serving cell）の競合の前記割合を前記記憶することとを実施すること、ここにおいて、前記セル再選択試みを前記開始することは、
前記セル再選択試みのカウントが試みのしきい値を超えることに応答して、前記メモリに記憶された競合の最も低い割合を有する近隣のセルへの前記セル再選択試みを開始することを含む、
をさらに備える、Ｃ２に記載の方法。
［Ｃ４］
前記セル再選択試みのカウントが前記試みのしきい値を超えた後に非アクティブのタイマーを開始することをさらに含み、ここにおいて、競合の前記決定された割合に基づいて別のセル再選択試みは前記非アクティブのタイマーの満了前に開始されない、Ｃ３に記載の方法。
［Ｃ５］
前記決定することは、
前記あらかじめ定義された時間期間にわたる複数の競合割合を測定することと、前記複数の競合割合中の各競合割合が、前記第１のＲＡＴによる前記ＵＥリソースの前記第１の使用が前記第２のＲＡＴによる前記ＵＥリソースの前記第２の使用と競合する時間の割合を示す、および
前記あらかじめ定義された時間期間にわたる、前記測定された複数の競合割合の平均を計算することと
を備える、Ｃ１に記載の方法。
［Ｃ６］
前記第１のＲＡＴによる前記ＵＥリソースの前記第１の使用と前記第２のＲＡＴによる前記ＵＥリソースの前記第２の使用との間の競合が、前記第１のＲＡＴから前記第２のＲＡＴへのチューンアウェイ（tuneaway）期間中に発生する、Ｃ１に記載の方法。
［Ｃ７］
前記セル再選択試みを前記開始することは、前記１つまたは複数の近隣のセルの受信電力が受信電力しきい値を超えることにさらに基づく、Ｃ１に記載の方法。
［Ｃ８］
ワイヤレス通信のために構成された装置であって、
第１の無線アクセス技術（ＲＡＴ）によるＵＥリソースの第１の使用を、ユーザ機器（ＵＥ）によって監視するための手段と、
第２のＲＡＴによる前記ＵＥリソースの第２の使用を、前記ＵＥによって監視するための手段と、ここにおいて、前記ＵＥは前記第２のＲＡＴにおいて現在サービングしているセルによってサービスされる、
あらかじめ定義された時間期間にわたる、前記第１のＲＡＴによる前記ＵＥリソースの前記第１の使用と前記第２のＲＡＴによる前記ＵＥリソースの前記第２の使用との間の競合の割合を、前記ＵＥによって決定するための手段と、および
競合の前記決定された割合が所定のしきい値を超えることに基づいて、前記第２のＲＡＴの複数の近隣のセルのうちの１つまたは複数の近隣のセルへのセル再選択試みを、前記ＵＥによって開始するための手段と
を備える、装置。
［Ｃ９］
それへの前記セル再選択試みが発生した前記複数の近隣のセルの各々についてメモリに競合の前記割合を記憶するための手段
をさらに備える、Ｃ８に記載の装置。
［Ｃ１０］
前記現在サービングしているセルから前記１つまたは複数の近隣のセルへの前記セル再選択試みを前記ＵＥが開始する回数を示すセル再選択試みのカウントを維持するための手段、
前記第１の使用を監視するための前記手段と、前記第２の使用を監視するための前記手段と、競合の前記割合を決定するための前記手段と、新しくサービングしているセルとして前記１つまたは複数の近隣のセルとの前記セル再選択試みを開始するための前記手段と、および前記新しくサービングしているセルの競合の前記割合を記憶するための前記手段とを実施するための手段、ここにおいて、前記セル再選択試みを開始するための前記手段は、
前記セル再選択試みのカウントが試みのしきい値を超えることに応答して、前記メモリに記憶された競合の最も低い割合を有する近隣のセルへの前記セル再選択試みを開始するための手段を含む、
をさらに備える、Ｃ９に記載の装置。
［Ｃ１１］
前記セル再選択試みのカウントが前記試みのしきい値を超えた後に非アクティブのタイマーを開始するための手段をさらに含み、ここにおいて、競合の前記決定された割合に基づいて別のセル再選択試みは前記非アクティブのタイマーの満了前に開始されない、Ｃ１０に記載の装置。
［Ｃ１２］
決定するための前記手段は、
前記あらかじめ定義された時間期間にわたる複数の競合割合を測定するための手段と、前記複数の競合割合中の各競合割合が、前記第１のＲＡＴによる前記ＵＥリソースの前記第１の使用が前記第２のＲＡＴによる前記ＵＥリソースの前記第２の使用と競合する時間の割合を示す、および
前記あらかじめ定義された時間期間にわたる、前記測定された複数の競合割合の平均を計算するための手段と
を備える、Ｃ８に記載の装置。
［Ｃ１３］
前記第１のＲＡＴによる前記ＵＥリソースの前記第１の使用と前記第２のＲＡＴによる前記ＵＥリソースの前記第２の使用との間の競合が、前記第１のＲＡＴから前記第２のＲＡＴへのチューンアウェイ期間中に発生する、Ｃ８に記載の装置。
［Ｃ１４］
前記セル再選択試みを開始するための前記手段は、前記１つまたは複数の近隣のセルの受信電力が受信電力しきい値を超えることにさらに基づく、Ｃ８に記載の装置。
［Ｃ１５］
プログラムコードを記録した非一時的なコンピュータ可読媒体であって、前記プログラムコードは、
第１の無線アクセス技術（ＲＡＴ）によるＵＥリソースの第１の使用を監視することを、ユーザ機器（ＵＥ）によってコンピュータに行わせるためのプログラムコードと、
第２のＲＡＴによる前記ＵＥリソースの第２の使用を、前記ＵＥによって監視することを前記コンピュータに行わせるためのプログラムコードと、ここにおいて、前記ＵＥは前記第２のＲＡＴにおいて現在サービングしているセルによってサービスされる、
あらかじめ定義された時間期間にわたる、前記第１のＲＡＴによる前記ＵＥリソースの前記第１の使用と前記第２のＲＡＴによる前記ＵＥリソースの前記第２の使用との間の競合の割合を前記ＵＥによって決定することを、前記コンピュータに行わせるためのプログラムコードと、および
競合の前記決定された割合が所定のしきい値を超えることに基づいて、前記第２のＲＡＴの複数の近隣のセルのうちの１つまたは複数の近隣のセルへのセル再選択試みを前記ＵＥによって開始することを、前記コンピュータに行わせるためのプログラムコードと
を備える、非一時的なコンピュータ可読媒体。
［Ｃ１６］
それへの前記セル再選択試みが発生した前記複数の近隣のセルの各々についてメモリに競合の前記割合を記憶することを前記コンピュータに行わせるためのプログラムコードをさらに備える、Ｃ１５に記載の非一時的なコンピュータ可読媒体。
［Ｃ１７］
前記現在サービングしているセルから前記１つまたは複数の近隣のセルへの前記セル再選択試みを前記ＵＥが開始する回数を示すセル再選択試みのカウントを維持することを前記コンピュータに行わせるためのプログラムコード、
前記第１の使用を監視することを前記コンピュータに行わせるための前記プログラムコードと、前記第２の使用を監視することを前記コンピュータに行わせるための前記プログラムコードと、競合の前記割合を決定することを前記コンピュータに行わせるための前記プログラムコードと、新しくサービングしているセルとして前記１つまたは複数の近隣のセルとの前記セル再選択試みを開始することを前記コンピュータに行わせるための前記プログラムコードと、および前記新しくサービングしているセルの競合の前記割合を記憶することを前記コンピュータに行わせるための前記プログラムコードと、を実行することを前記コンピュータに行わせるためのプログラムコード、ここにおいて、前記セル再選択試みを開始することを前記コンピュータに行わせるための前記プログラムコードは、
前記セル再選択試みのカウントが試みのしきい値を超えることに応答して、前記メモリに記憶された競合の最も低い割合を有する近隣のセルへの前記セル再選択試みを開始することを前記コンピュータに行わせるためのプログラムコードを含む、
をさらに備える、Ｃ１６に記載の非一時的なコンピュータ可読媒体。
［Ｃ１８］
前記セル再選択試みのカウントが前記試みのしきい値を超えた後に非アクティブのタイマーを開始することを前記コンピュータに行わせるためのプログラムコードをさらに含み、ここにおいて、競合の前記決定された割合に基づいて別のセル再選択試みは前記非アクティブのタイマーの満了前に開始されない、Ｃ１７に記載の非一時的なコンピュータ可読媒体。
［Ｃ１９］
決定することを前記コンピュータに行わせるための前記プログラムコードは、
前記あらかじめ定義された時間期間にわたる複数の競合割合を測定することを前記コンピュータに行わせるためのプログラムコードと、前記複数の競合割合中の各競合割合が、前記第１のＲＡＴによる前記ＵＥリソースの前記第１の使用が前記第２のＲＡＴによる前記ＵＥリソースの前記第２の使用と競合する時間の割合を示す、および
前記あらかじめ定義された時間期間にわたる、前記測定された複数の競合割合の平均を計算することを前記コンピュータに行わせるためのプログラムコードと
を備える、Ｃ１５に記載の非一時的なコンピュータ可読媒体。
［Ｃ２０］
前記第１のＲＡＴによる前記ＵＥリソースの前記第１の使用と前記第２のＲＡＴによる前記ＵＥリソースの前記第２の使用との間の競合が、前記第１のＲＡＴから前記第２のＲＡＴへのチューンアウェイ期間中に発生する、Ｃ１５に記載の非一時的なコンピュータ可読媒体。
［Ｃ２１］
前記セル再選択試みを開始することを前記コンピュータに行わせるための前記プログラムコードは、前記１つまたは複数の近隣のセルの受信電力が受信電力しきい値を超えることにさらに基づく、Ｃ１５に記載の非一時的なコンピュータ可読媒体。
［Ｃ２２］
ワイヤレス通信のために構成された装置であって、前記装置が、
少なくとも１つのプロセッサと、
前記少なくとも１つのプロセッサに結合されたメモリと
を備え、
ここにおいて、前記少なくとも１つのプロセッサは、
第１の無線アクセス技術（ＲＡＴ）によるＵＥリソースの第１の使用を、ユーザ機器（ＵＥ）によって監視することと、
第２のＲＡＴによる前記ＵＥリソースの第２の使用を、前記ＵＥによって監視することと、ここにおいて、前記ＵＥが前記第２のＲＡＴにおいて現在サービングしているセルによってサービスされる、
あらかじめ定義された時間期間にわたる、前記第１のＲＡＴによる前記ＵＥリソースの前記第１の使用と前記第２のＲＡＴによる前記ＵＥリソースの前記第２の使用との間の競合の割合を、前記ＵＥによって決定することと、
競合の前記決定された割合が所定のしきい値を超えることに基づいて、前記第２のＲＡＴの複数の近隣のセルのうちの１つまたは複数の近隣のセルへのセル再選択試みを、前記ＵＥによって開始することと
を行うように構成された、装置。
［Ｃ２３］
それへの前記セル再選択試みが発生した前記複数の近隣のセルの各々について前記メモリに競合の前記割合を記憶するための前記少なくとも１つのプロセッサの構成をさらに備える、Ｃ２２に記載の装置。
［Ｃ２４］
前記現在サービングしているセルから前記１つまたは複数の近隣のセルへの前記セル再選択試みを前記ＵＥが開始する回数を示すセル再選択試みのカウントを維持すること、  前記第１の使用を監視するための前記構成と、前記第２の使用を監視するための前記構成と、競合の前記割合を決定するための前記構成と、新しくサービングしているセルとして前記１つまたは複数の近隣のセルとの前記セル再選択試みを開始するための前記構成と、および前記新しくサービングしているセルの競合の前記割合を記憶するための前記構成とを実行すること、ここにおいて、前記セル再選択試みを開始するための前記少なくとも１つのプロセッサの前記構成は、前記セル再選択試みのカウントが試みのしきい値を超えることに応答して、前記メモリに記憶された競合の最も低い割合を有する近隣のセルへの前記セル再選択試みを開始するための構成を含む、
を行うための前記少なくとも１つのプロセッサの構成をさらに備える、Ｃ２３に記載の装置。
［Ｃ２５］
前記セル再選択試みのカウントが前記試みのしきい値を超えた後に非アクティブのタイマーを開始するための前記少なくとも１つのプロセッサの構成をさらに含み、ここにおいて、競合の前記決定された割合に基づいて別のセル再選択試みは前記非アクティブのタイマーの満了前に開始されない、Ｃ２４に記載の装置。
［Ｃ２６］
決定するための前記少なくとも１つのプロセッサの前記構成は、
前記あらかじめ定義された時間期間にわたる複数の競合割合を測定することと、前記複数の競合割合中の各競合割合が、前記第１のＲＡＴによる前記ＵＥリソースの前記第１の使用が前記第２のＲＡＴによる前記ＵＥリソースの前記第２の使用と競合する時間の割合を示す、および
前記あらかじめ定義された時間期間にわたる、前記測定された複数の競合割合の平均を計算することと
を行うための前記少なくとも１つのプロセッサの構成を備える、Ｃ２２に記載の装置。
［Ｃ２７］
前記第１のＲＡＴによる前記ＵＥリソースの前記第１の使用と前記第２のＲＡＴによる前記ＵＥリソースの前記第２の使用との間の競合が、前記第１のＲＡＴから前記第２のＲＡＴへのチューンアウェイ期間中に発生する、Ｃ２２に記載の装置。
［Ｃ２８］
前記セル再選択試みを開始するための前記少なくとも１つのプロセッサの前記構成は、前記１つまたは複数の近隣のセルの受信電力が受信電力しきい値を超えることにさらに基づく、Ｃ２２に記載の装置。
【図１】
0006779921.tif 000002
【図２】
0006779921.tif 000003
【図３】
0006779921.tif 000004
【図４】
0006779921.tif 000005
【図５】
0006779921.tif 000006
【図６】
0006779921.tif 000007
【図７】
0006779921.tif 000008
【図８Ａ】
0006779921.tif 000009
【図８Ｂ】
0006779921.tif 000010